(57)【要約】【課題】  光照射手段を生体表面に確実に対向させると共に、生体表面と光照射手段との接触を防止し、且つ生体表面以外に光が漏れることを防止して、安全で且つ確実な光照射を行える光照射型美容装置を提供する。【解決手段】  本発明の光照射型美容装置１は、手で把持する本体１１の一端に光源４１からレンズ４４を介して生体表面に光照射を行う光照射手段を備えた装置であるい。そして、レンズ４４と生体表面の間に、光を透過する光学的部材５７が配置された放出部５２と、上記放出部５２および光照射手段の周囲を覆う不透明部材と、からなる配光制御手段５を設けた。これにより、生体表面に対して安全に且つ確実に光照射による美容を行うことができる。【選択図】        図１
2010142611.tif 000002
【特許請求の範囲】
【請求項１】
手で把持する本体の一端に光源からレンズを介して生体表面に光を照射する光照射手段を備えた光照射型美容装置において、上記光照射手段のレンズと上記生体表面の間には、上記光照射手段から照射された光に対して光量を維持して透過する光学的部材が配置された放出部と、上記放出部および光照射手段の周囲を覆う不透明部材と、からなる配光制御手段が設けてあることを特徴とする光照射型美容装置。
【請求項２】
前記配光制御手段が前記レンズに対して前記光照射手段が光照射を行う生体表面に直交する光照射方向に沿って移動自在であり、上記光照射手段の光照射を許可する照射スイッチのうち、少なくとも一つが上記配光制御手段の上記光照射方向に沿った移動に連動して動作するものであることを特徴とする請求項１に記載の光照射型美容装置。
【請求項３】
前記本体に前記配光制御手段が前記光照射方向に沿って移動自在で保持されたものであることを特徴とする請求項２に記載の光照射型美容装置。
【請求項４】
前記本体は前記配光制御手段の前記光照射方向に沿った移動を禁止するロック部を備えたものであることを特徴とする請求項２または請求項３に記載の光照射型美容装置。
【請求項５】
前記配光制御手段は前記本体に対して着脱自在とする着脱部を備えたものであることを特徴とする請求項１〜４のいずれか一項に記載の光照射型美容装置。
【請求項６】
前記放出部は格子形状に光学的部材を配置したものであることを特徴とする請求項１〜５のいずれか一項に記載の光照射型美容装置。
【請求項７】
前記配光制御手段は、前記放出部と、前記不透明部材と、が一体で形成されたものであることを特徴とする請求項１〜６のいずれか一項に記載の光照射型美容装置。
【請求項８】
前記光照射手段の光源がキセノン管あるいはダイオードであることを特徴とする請求項１〜７のいずれか一項に記載の光照射型美容装置。
【発明の詳細な説明】
【技術分野】
【０００１】
本発明は、光照射型美容装置、詳しくは光源を備え、光源からの光を生体表面、特に肌面に対して照射することで肌をトリートメントする光照射型美容装置に関するものである。
【背景技術】
【０００２】
従来から、光源から生体表面、特に肌面に光を照射して脱毛や毛の再生抑制等を行うことで、肌をトリートメントする光照射型美容装置があった。
【０００３】
しかしながら、光照射の際に光が漏れて目に入ったり、光照射を行う光照射手段が発光の際に高温となり、生体表面が光照射手段に接触して火傷を生じたりして生体に対して損傷を与えてしまうことがあった。
【０００４】
そこで、特許文献１のように、光照射手段と肌面との間にスペーサーを取り付けて、スペーサーが肌面の光照射手段への接触を防止すると共に、光照射手段の肌面に対する位置決めを行わせたものがあった。
【０００５】
しかし、照射手段から均一化して照射された光がスペーサー内で不均一となり、詳しくは偏光等により光の強度や向きに変化を生じて、スペーサーの側面から光が漏れたり、スペーサーと肌面との間に隙間が生じて光が漏れたりして、安全性があまり高くないものであった。更に、スペーサーにより不均一になることで皮膚に照射される光量が低下しまうこともあり、光量を増加させるために光源を強化すると、発光時の発熱が増してしまい、放熱手段の増設等の装置の大型化をまねき、使い勝手が悪くなるという問題があった。
【０００６】
また、特許文献２のように、光照射手段にタッチセンサ機構を設けて、複数のセンサにより光照射型美容装置と肌面とが対向して接触しているか否かを検出することで、光照射手段と肌面との間に隙間を生じ難くして、光の漏洩を抑制して安全性を向上させたものもある。
【０００７】
しかし、タッチセンサ機構による装置の重量の増加や大型化に加え、肌面の状態によって肌面の抵抗値が変わるため、センサに動作不良を生じる恐れがあり、使い勝手があまり良くないという問題があった。
【特許文献１】特開２００４−３２１４０１号公報
【特許文献２】特開２００５−２７８７２４号公報
【発明の開示】
【発明が解決しようとする課題】
【０００８】
そこで、本発明は上記問題に鑑みて発明したものであり、装置を大型化させずに生体表面へ照射される光の光量低下を防止すると共に、生体表面の光照射手段への接触を防止し、且つ光照射手段と生体表面とを確実に対向させて、照射される光が漏れることを防止することで、使い勝手を低下させることなく安全性を向上させた光照射型美容装置を提供することを課題とした。
【課題を解決するための手段】
【０００９】
上記課題を解決するために、本発明の光照射型美容装置１は、手で把持する本体１１の一端に光源４１からレンズ４４を介して生体表面に光を照射する光照射手段を備えた装置である。そして、上記光照射手段のレンズ４４と上記生体表面の間には、上記光照射手段から照射された光に対して光量を維持して透過する光学的部材５７が配置された放出部５２と、上記放出部５２および光照射手段の周囲を覆う不透明部材と、からなる配光制御手段５が設けてあることを特徴としている。
【００１０】
このような構成としたことで、不透明部材により光照射手段から放出部５２以外へ光が漏れることを防止すると共に、放出部５２が生体表面を光照射手段に接触させることなく生体表面に光照射を行うことができる。
【００１１】
また、配光制御手段５がレンズ４４に対して光照射手段が光照射を行う生体表面に直交する光照射方向Ｆに沿って移動自在であり、上記光照射手段の光照射を許可する照射スイッチのうち、少なくとも一つが上記配光制御手段５の上記光照射方向Ｆに沿った移動に連動して動作するものであれば、配光制御手段５と生体表面との密着性を向上でき、且つ配光制御手段５を生体表面に押し当てる動作が照射スイッチの一つとなり、生体表面により確実に光照射を行えると共に、使い勝手を向上することができる。
【００１２】
また、本体１１に配光制御手段５が光照射方向Ｆに沿って移動自在で保持されたものであれば、配光制御手段５の光照射方向Ｆへの移動がスムーズなものとなり、密着性がより高まり安全性が向上すると共に、使い勝手を向上することができる。
【００１３】
また、本体１１は配光制御手段５の光照射方向Ｆに沿った移動を禁止するロック部を備えたものであれば、取り落とし等による誤作動や悪戯等による誤射で美容効果を得たい生体表面以外に光照射が行われることを防止でき、より安全性を向上することができる。
【００１４】
また、配光制御手段５は本体１１に対して着脱自在とする着脱部を備えたものであれば、配光制御手段５が劣化あるいは故障した際に容易に交換でき、より安全性および使い勝手を向上することができる。
【００１５】
また、放出部５２は格子形状に光学的部材５７を配置したものとすることが好ましい。
【００１６】
また、配光制御手段５の、放出部５２と、不透明部材と、を一体で形成することが好ましい。
【００１７】
また、光照射手段の光源４１をキセノン管あるいはダイオードとすることが好ましい。
【発明の効果】
【００１８】
上記のように、本発明の光照射型美容装置は、配光制御手段、特に放出部に配置した光学的部材により生体表面の装置への入り込みが抑制されて、生体表面を光照射手段に接触させることなく光照射手段の位置決めおよび光照射を行うことができ、且つ不透明部材により光が漏れることを確実に防止すると共に、光照射手段から光量を均一にして照射された光が放出部を介しても生体表面に照射される光の光量が不均一にならないため、使い勝手を損なうことなく安全に且つ確実に光照射による美容を生体表面に対して行うことができるものとなる。
【発明を実施するための最良の形態】
【００１９】
以下、図面に基づいて本発明の実施形態について説明する。
【００２０】
本発明の光照射型美容装置１は、生体表面に光照射を行うことにより、生体表面の脱毛を行う光脱毛や、生体表面の毛の再生および成長を抑制する光抑毛等の生体表面、特に生体の皮膚である肌面に対して美容を行うものである。そして、図１〜図３に示すように、片手で把持可能な本体１１と、本体１１の一端に着脱自在で取り付けられ且つ光源４１を内部に有する光照射手段である照射ユニット４と、照射ユニット４の周囲を覆い且つ照射ユニット４から照射された光を調節する配光制御手段５と、配光制御手段５を保持し且つ本体１１に着脱自在のカバー３と、からなる装置である。
【００２１】
上記本体１１は、光照射を制御する制御回路１３および内蔵電源１２を内部に備えると共に、外装に、本体１１の電源のオンオフを行う電源スイッチ１４と、カバー３の着脱を操作する着脱操作部１５と、を備えたものである。なお、上記制御回路１３が行う光照射の制御とは、例えば、照射ユニット４の連続光照射回数・通算光照射回数の記憶および回数に応じた光源４１の発光量の調節等の長期使用における光量の制御や、照射ユニット４の温度検知あるいはカバー３・照射ユニット４の有無検知等の安全管理等が好ましいが、適宜設計変更可能である。
【００２２】
そして、上記本体１１の照射ユニット４が取り付けられる側の端部である照射側端部２には、照射ユニット４を着脱自在とするユニット装着部２１と、着脱操作部１５により操作されカバー３を着脱自在に係止する本体側係止部２３と、照射ユニット４の光源４１を発光させる発光スイッチ２２と、を備えている。
【００２３】
また、上記照射ユニット４は、図３〜図５に示すように、光が照射される略長方形状の照射口４２を一端に有すると共に、上記照射口４２に蓋としてレンズ４４が嵌込されている箱である。そして、箱の長手方向の両外側、詳しくは照射口４２の長手方向における両端に夫々位置する箱の外面にはユニット装着部２１に係脱自在な取付用突起４３が夫々延設されており、取付用突起４３とユニット装着部２１とが係合することで照射ユニット４が本体１１に着脱自在で取り付けられるものである。
【００２４】
また、上記レンズ４４で蓋をされた箱の内部には、光源４１、例えば、管球状のキセノン管と、上記光源４１からの光を反射して照射口４２に向けるリフレクター４５と、上記リフレクター４５を箱内に保持する基台４６と、発光スイッチ２２からの信号を受け光源４１を発光させるユニット回路４７と、が収納されている。そして、上記リフレクター４５は、照射口４２側に照射口４２と略同じ大きさの開口を有し且つ反射面を内側に備えた略Ｕ字のカップ形状のものである。
【００２５】
更に、上記開口と逆の位置であるカップ形状の底部の内側には光源４１が位置しており、リフレクター４５とレンズ４４とが光源４１からの光を均一化する。詳しくは、光源４１の発光により生じた光の向きを照射口４２に直交する向きに揃えると共に、照射口４２から照射される光量の分布を略一定に揃えるものである。なお、上記照射ユニット４の光源４１を一つあるいは複数のダイオードとしてもよい。
【００２６】
また、上記配光制御手段５は、図６に示すように、光を透過しない不透明部材で筒形状に形成された遮光部５１と、遮光部５１の筒形状に略長方形状で開口した一端に光学的部材５７を設けた放出部５２と、からなるものである。
【００２７】
上記遮光部５１は、照射ユニット４の箱の側面を覆い且つ照射ユニット４が光を照射口４２から照射する光照射方向Ｆに向かって箱を覆う面を延設した筒形状のものであり、筒の開口と照射ユニット４の照射口４２とを対向して配置されるものである。
【００２８】
そして、上記延設した側に位置する開口が照射ユニット４からの光を外部に放出する放出口となっており、上記放出口を形成する遮光部５１の端部が光照射の際に生体表面に当接する部位である。なお、上記光照射方向Ｆとは、照射口４２の開口面に直交する方向であり、詳しくは、リフレクター４５およびレンズ４４で均一化されて照射口４２から光が照射される方向である。
【００２９】
また、遮光部５１の開口の長手方向を形成する端辺を有する側面には、上記開口に直交する光照射方向Ｆに沿ってスライドガイド５３が筒の外側に夫々設けてある。そして、上記スライドガイド５３は光照射型美容装置１を組み立てた際に配光制御手段５を光照射方向Ｆと平行にスライド自在とするものである。
【００３０】
更に、上記側面のうち、一方の面の放出口と反対側の開口を形成する端辺の略中央にはスイッチ用突起５４が面に平行に突設されており、スイッチ用突起５４はスライドガイド５３により配光制御手段５がスライドした際に発光スイッチ２２を作動させるものである。
【００３１】
詳しくは、電源スイッチ１４がオンの状態で、上記放出口を形成する部位を生体表面に密着させて光照射方向Ｆに押すあるいは生体表面に押し当てることで、光照射方向Ｆと反対の方向に配光制御手段５がスライドされる。該スライドに伴いスイッチ用突起５４が発光スイッチ２２を押圧し、押圧された発光スイッチ２２はユニット回路４７を介して光源４１を発光させる。そして、光照射後に配光制御手段５が光照射方向Ｆにスライドすることで、スイッチ用突起５４が発光スイッチ２２から離れて発光スイッチ２２の押圧が解除されるものである。
【００３２】
なお、上記光照射動作は一例であり、生体表面に押し当てて発光スイッチ２２を作動させた状態で電源スイッチ１４をオンにすることで光照射を行うものはもちろん、更に他の照射スイッチを備えたものでもよく、本発明の作用効果が得られる照射スイッチであれば適宜設計変更可能である。
【００３３】
また、上記二面に直交して隣接した面である遮光部５１の長手方向の両端面には保持用フック５５が夫々外側に向いて設けてある。そして、保持用フック５５はカバー３に嵌合することで配光制御手段５をカバー３に保持して配光制御手段５の抜け落ちおよびスライド時のがたつきを防止するものである。
【００３４】
また、上記放出口に設けた放出部５２は放出口より光照射方向Ｆ側に突出しない、詳しくは放出口を形成する遮光部５１の端部と略面一あるいは端部より内側に位置する光学的部材５７からなる格子であり、上記格子は嵌合位置の光量に合わせて凸あるいは凹レンズ形状に形成した照射ユニット４が均一化した光量を維持して透過可能なものであると共に、遮光部５１と一体で形成されている。
【００３５】
そのため、生体表面に配光制御手段５を押し当てた際に放出部５２が生体表面の遮光部５１の内部空間への入り込みを抑制して、生体表面が照射ユニット４、特にレンズ４４、に接触することを防止している。なお、光学的部材５７とは、照射ユニット４から入射された光に対して集光する等の光の強度や向きを略変化させることがなく光量に不均一を生じさせない材料で形成されたもの、または、光量に不均一を生じさせない形状に形成したものである。
【００３６】
また、上記カバー３は、図２および図７に示すように、配光制御手段５をスライド自在で保持する配光制御手段５用の開口を有し且つ上記照射側端部２および照射ユニット４を覆うカバー部材３１で形成されている。
【００３７】
そして、上記カバー部材３１は、前記本体側係止部２３に係脱自在である係止用フック３２と、前記スライドガイド５３を支持するガイドリブ３３と、前記保持用フック５５を保持する保持用フック受け部３４と、を備えたものである。上記ガイドリブ３３はカバー部材３１の内側に光照射方向Ｆに沿って設けてあり、保持用フック５５と保持用フック受け部３４とが嵌合した際にスライドガイド５３に沿って配光制御手段５をスライド自在に支持するものである。そして、上記保持用フック受け部３４には保持用フック５５を光照射方向Ｆに付勢する弾性体（特に図示しない）例えば、ばね等、が夫々設けてあり、上記弾性体により配光制御手段５が光照射方向Ｆに付勢されて、スイッチ用突起５４が発光スイッチ２２を押圧しない位置でカバー３に保持される。
【００３８】
また、図６〜図８に示すように、配光制御手段５の上記スライドを禁止するロック部が設けてあり、上記ロック部は、配光制御手段５側に配光制御手段５のスライドガイド５３の延設された面に直交して突出したロック用凸部５６を備え、カバー３側に上記ロック用凸部５６に係脱自在のストッパー３５と、上記ストッパー３５を操作してロック用凸部５６との係脱を行わせるロック操作部３６と、を備えたものである。
【００３９】
詳しくは、ロック操作部３６とストッパー３５は一体となっており、配光制御手段５がスライド自在である図７に示す状態から、ロック操作部３６を配光制御手段５のスライド方向と直交する方向に移動させることでストッパー３５がスライド方向に直交する方向に移動する。そして、図８に示すロック用凸部５６にストッパー３５が係合した状態となり、配光制御手段５がカバー３に保持されて、配光制御手段５のスライドが禁止される。更に、ロック操作部３６を図７に示す状態に戻すことで、ロック用凸部５６とストッパー３５の係合が解除され、配光制御手段５のスライドが許可されるものである。
【００４０】
したがって、配光制御手段５を設けたことで光照射手段を生体表面に直接接触させる必要がなくなり、且つ照射手段の周囲を覆う遮光部５１により、光照射方向Ｆに平行な側面側から光が漏れることを防止すると共に、光学的部材５７を格子状に配置した放出部５２により、生体表面の光照射型美容装置１への入り込みを抑えて、光照射手段に生体表面が接触して火傷等を生じる恐れを確実に防止すると共に、放出部５２が光照射手段から光量を均一化して照射された光に変化を与えることないため、生体表面に安定した光量で光照射による美容を行うことができる装置となっている。
【００４１】
尚且つ、配光制御手段５、詳しくは放出部５２または放出口を形成する遮光部５１の端部、を生体表面に押し当てることで配光制御手段５がスライドし発光スイッチ２２を作動させて光源４１を発光させるものとしたことで、生体表面に放出口および照射口４２を確実に向けた状態で光照射を行うと共に、光照射を行うための照射スイッチが電源スイッチ１４と、発光スイッチ２２との二つとなり、電源をオンにした後、生体表面に放出部５２を押し当てる光照射を行うのに二つの照射スイッチを夫々動作させるものとなり、生体表面以外への誤射の恐れを無くすことができると共に、上記生体表面に押し当てたことで配光制御手段５と生体表面の間に隙間が生じなくなり、光照射時の配光制御手段５と生体表面の密着性が向上して、配光制御手段５と生体表面の間からの光の漏洩を確実に防止することができ、使い勝手および安全性の向上した装置となっている。
【００４２】
そして、配光制御手段５の遮光部５１と放出部５２とを一体とし、且つ照射手段を一体の照射ユニット４とすると共に、生体表面との接触や発光に伴い生じる熱等の長期使用の影響で劣化や故障を生じ易い光照射手段および配光制御手段５を本体１１から容易に着脱自在としたことで、上記手段に劣化や故障が生じても取り外して新たなものに取り替えられ、且つ交換時に放出部５２や光源４１等の位置ずれによる光量の不均一化を生じる恐れが無く、容易に不具合を改善でき、安全性および使い勝手をより向上した装置となっている。
【００４３】
更に、配光制御手段５をカバー３に保持させたことで、本体１１を把持して生体表面に配光制御手段５を押し当てた際に、がたつくことなくスムーズに配光制御手段５がスライドでき、生体表面との密着性が向上すると共に、スイッチ用突起５４による発光スイッチ２２の押圧を確実に行うことができ、且つ、光照射後に配光制御手段５を生体表面から離すと、弾性体の付勢によりスイッチ用突起５４が発光スイッチ２２を押圧しない位置に戻るため、再照射の際に配光制御手段５の位置を戻す等の配光制御手段５の調節の必要が無くなり、配光制御手段５の光源４１に対する位置ずれを防止すると共に、生体表面に押し当てていない状態での発光スイッチ２２の誤作動を防止することができる装置となっている。
【００４４】
また、配光制御手段５のスライドを禁止するロック部を設けたことで、落下の衝撃等による誤作動の恐れや、幼児の悪戯等による誤射の恐れが無くなり、生体表面以外へ光照射が行われることを防止でき、より安全性を向上することができる。なお、本発明の光照射型美容装置の係止・係合部やスライド機構等を本実施形態のみに限定するものではなく、本発明の上記作用効果を得られる構成であれば適宜設計変更可能である。
【図面の簡単な説明】
【００４５】
【図１】本発明の光照射型美容装置の説明図であり、（ａ）が正面図であり、（ｂ）が側面図である。
【図２】同上の説明図であり、（ａ）がＡ−Ａ断面図であり、（ｂ）がＢ−Ｂ断面図である。
【図３】図１のカバーを外した状態の斜視図である。
【図４】同上の光照射手段の説明図であり、（ａ）が正面図であり、（ｂ）がＣ−Ｃ断面図である。
【図５】同上の光照射手段の分解斜視図である。
【図６】同上の配光制御手段の説明図である。
【図７】同上のカバーの説明図であり、（ａ）が正面図であり、（ｂ）がＤ−Ｄ断面図である。
【図８】同上のスライドロック状態の説明図であり、（ａ）が正面図であり、（ｂ）がＥ−Ｅ断面図である。
【符号の説明】
【００４６】
１  光照射型美容装置
１１  本体
２  照射側端部
３  カバー
４  照射ユニット
４１  光源
４３  取付用突起
４４  レンズ
４５  リフレクター
５  配光制御手段
５１  遮光部
５２  放出部
５３  スライドガイド
５８  光学的部材
Ｆ  光照射方向
【図１】
2010142611.tif 000003
【図２】
2010142611.tif 000004
【図３】
2010142611.tif 000005
【図４】
2010142611.tif 000006
【図５】
2010142611.tif 000007
【図６】
2010142611.tif 000008
【図７】
2010142611.tif 000009
【図８】
2010142611.tif 000010